【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
閃光装置付きカメラ装置において、
撮影時の補助光を発する発光管と、
この発光管を発光させる電荷を蓄積する複数の発光用コンデンサと、
前記発光管に発光させる補助光の発光量を決定する決定手段と、
この決定手段により決定された発光量に対応した充電容量となる複数の発光用コンデンサを、前記複数の発光用コンデンサの中から選択する選択手段と、
前記選択手段により選択された複数の発光用コンデンサの蓄積電荷により前記発光管を発光させる発光制御手段と
を備えたことを特徴とする閃光装置付きカメラ装置。
【請求項２】
前記発光用コンデンサを充電するための充電回路と、
前記選択手段により選択された複数の発光用コンデンサを対象とした充電動作を前記充電回路に行わせる充電制御手段と、
を備えたことを特徴とする請求項１記載の閃光装置付きカメラ装置。
【請求項３】
前記複数の発光用コンデンサには、充電容量が互いに異なる複数種の発光用コンデンサが含まれ、
前記選択手段は、前記決定手段により決定された発光量に対応した充電容量となる複数の発光用コンデンサの組み合わせを特定し、この特定した複数の発光用コンデンサを選択することを特徴とする請求項１または２記載の閃光装置付きカメラ装置。
【請求項４】
前記複数の発光用コンデンサには、耐圧が互いに異なる複数種の発光用コンデンサが含まれることを特徴とする請求項３記載の閃光装置付きカメラ装置。
【請求項５】
前記決定手段は、複数の撮影モードの中から選択された撮影モードの種類に応じて前記発光管に発光させる補助光の発光量を決定することを特徴とする請求項１乃至４のいずれかに記載の閃光装置付きカメラ装置。
【請求項６】
前記複数の撮影モードは、消費電力を優先した消費電力優先モードと動作速度を優先した速度優先モードを含み、
前記決定手段は、前記消費電力優先モードが設定されている場合には第１の発光量を決定し、前記速度優先モードが設定されている場合には前記第１の発光量よりも多い第２の発光量を設定することを特徴とする請求項５記載の閃光装置付きカメラ装置。
【請求項７】
オートフォーカス機能を備え、
前記複数の撮影モードは、前記オートフォーカス機能により合焦可能な被写体の距離範囲が異なる複数の撮影モードを含み、
前記決定手段は、前記合焦可能な被写体の距離範囲が第１の距離範囲である場合には第１の発光量を決定し、前記合焦可能な被写体の距離範囲が前記第１の距離範囲よりも遠い第２の距離範囲である場合には前記第１の発光量よりも多い第２の発光量を決定することを特徴とする請求項５または６に記載の閃光装置付きカメラ装置。
【請求項８】
撮影時における被写体距離を取得する距離取得手段と、
前記決定手段は、この距離取得手段により取得された被写体距離に応じて前記発光管に発光させる補助光の発光量を決定することを特徴とする請求項１乃至７に記載の閃光装置付きカメラ装置。
【請求項９】
撮影時の補助光を発する発光管と、その発光管を発光させる電荷を蓄積する複数の発光用コンデンサとを備えた閃光装置付きカメラ装置における補助光の発光動作を制御する方法であって、
前記発光管に発光させる補助光の発光量を決定する決定工程と、
この定工程により決定された発光量に対応した充電容量となる複数の発光用コンデンサを、前記複数の発光用コンデンサの中から選択する選択工程と、
前記選択工程により選択された複数の発光用コンデンサの蓄積電荷により前記発光管を発光させる発光制御工程と
を含むことを特徴とする発光動作制御方法。
【手続補正２】
【補正対象書類名】明細書
【補正対象項目名】０００７
【補正方法】変更
【補正の内容】
【０００７】
前記課題を解決するため請求項１の発明にあっては、閃光装置付きカメラ装置において、
撮影時の補助光を発する発光管と、
この発光管を発光させる電荷を蓄積する複数の発光用コンデンサと、
前記発光管に発光させる補助光の発光量を決定する決定手段と、
この決定手段により決定された発光量に対応した充電容量となる複数の発光用コンデンサを、前記複数の発光用コンデンサの中から選択する選択手段と、
前記選択手段により選択された複数の発光用コンデンサの蓄積電荷により前記発光管を発光させる発光制御手段と
を備えたことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、請求項２の発明にあっては、前記発光用コンデンサを充電するための充電回路と、
前記選択手段により選択された複数の発光用コンデンサを対象とした充電動作を前記充電回路に行わせる充電制御手段と、
を備えたことを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、請求項３の発明にあっては、前記複数の発光用コンデンサには、充電容量が互いに異なる複数種の発光用コンデンサが含まれ、
前記選択手段は、前記決定手段により決定された発光量に対応した充電容量となる複数の発光用コンデンサの組み合わせを特定し、この特定した複数の発光用コンデンサを選択することを特徴とする。
【手続補正７】
【補正対象書類名】明細書
【補正対象項目名】００１２
【補正方法】変更
【補正の内容】
【００１２】
また、請求項４の発明にあっては、前記複数の発光用コンデンサには、耐圧が互いに異なる複数種の発光用コンデンサが含まれることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
また、請求項５の発明にあっては、前記決定手段は、複数の撮影モードの中から選択された撮影モードの種類に応じて前記発光管に発光させる補助光の発光量を決定することを特徴とする。
【手続補正１０】
【補正対象書類名】明細書
【補正対象項目名】００１５
【補正方法】変更
【補正の内容】
【００１５】
また、請求項６の発明にあっては、前記複数の撮影モードは、消費電力を優先した消費電力優先モードと動作速度を優先した速度優先モードを含み、
前記決定手段は、前記消費電力優先モードが設定されている場合には第１の発光量を決定し、前記速度優先モードが設定されている場合には前記第１の発光量よりも多い第２の発光量を設定することを特徴とする。
【手続補正１１】
【補正対象書類名】明細書
【補正対象項目名】００１６
【補正方法】変更
【補正の内容】
【００１６】
また、請求項７の発明にあっては、オートフォーカス機能を備え、
前記複数の撮影モードは、前記オートフォーカス機能により合焦可能な被写体の距離範囲が異なる複数の撮影モードを含み、
前記決定手段は、前記合焦可能な被写体の距離範囲が第１の距離範囲である場合には第１の発光量を決定し、前記合焦可能な被写体の距離範囲が前記第１の距離範囲よりも遠い第２の距離範囲である場合には前記第１の発光量よりも多い第２の発光量を決定することを特徴とする。
【手続補正１２】
【補正対象書類名】明細書
【補正対象項目名】００１７
【補正方法】変更
【補正の内容】
【００１７】
また、請求項８の発明にあっては、撮影時における被写体距離を取得する距離取得手段と、
前記決定手段は、この距離取得手段により取得された被写体距離に応じて前記発光管に発光させる補助光の発光量を決定することを特徴とする。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
また、請求項９の発明にあっては、撮影時の補助光を発する発光管と、その発光管を発光させる電荷を蓄積する複数の発光用コンデンサとを備えた閃光装置付きカメラ装置における補助光の発光動作を制御する方法であって、
前記発光管に発光させる補助光の発光量を決定する決定工程と、
この定工程により決定された発光量に対応した充電容量となる複数の発光用コンデンサを、前記複数の発光用コンデンサの中から選択する選択工程と、
前記選択工程により選択された複数の発光用コンデンサの蓄積電荷により前記発光管を発光させる発光制御工程と
を含むことを特徴とする。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】変更
【補正の内容】
【００２９】
以上のように本発明においては、補助光が使用される撮影時に用いる発光用コンデンサを、発光量に対応した充電容量となるように複数選択するようにしたので、適切な発光量を確保しつつ、ストロボ撮影時に無駄に消費される電力を削減することが可能となる。
【手続補正２５】
【補正対象書類名】明細書
【補正対象項目名】００３０
【補正方法】変更
【補正の内容】
【００３０】
また、発光量に対応した充電容量となるように選択された複数の発光用コンデンサを対象として充電動作を行わせるようにしたので、適切な発光量を確保しつつ、ストロボ撮影時に無駄に充電される電力を削減することが可能となる。
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】